(57)【要約】      （修正有）【課題】表示パネルのサブピクセルトランジション過程での表示不良を防止できる表示装置を提供する。【解決手段】ｋ番目の水平周期内でのサブピクセルトランジションの順序が第１カラー、第２カラー、第３カラーであるとき、ｋ＋１番目の水平周期内での間のサブピクセルトランジションの順序を第３カラー、第１カラー、第２カラーの順となるようにサブピクセルトランジションを遂行することで、トランジションの回数を減少させるレストランジションを具現すると同時に、各カラー別のサブピクセルトランジションの回数を均一化してサブピクセルトランジションによる表示不良を減少させる。【選択図】図５
2018055100.tif 000002
【特許請求の範囲】
【請求項１】
ゲートライン、データライン、及びデータラインとゲートラインの交差領域と定義される第１カラーサブピクセル、第２カラーサブピクセル、第３カラーサブピクセルを含む表示パネルと；
前記データラインにソース信号を印加するデータ駆動部と；
ｋ番目（ｋは自然数）の水平周期の間、第１カラーサブピクセル、第２カラーサブピクセル、第３カラーサブピクセルの順に該当するソース信号を提供し、ｋ＋１番目の水平周期の間には、前記第３カラーサブピクセル、第１カラーサブピクセル、第２カラーサブピクセルの順に該当するソース信号を提供するように制御するトランジション制御部と、を含む、表示装置。
【請求項２】
前記各データラインへのソース信号の提供をスイッチングするソースマルチプレクサをさらに含み、前記トランジション制御部は、前記ソースマルチプレクサを制御する、請求項１に記載の表示装置。
【請求項３】
前記表示パネルは、第４カラーサブピクセルをさらに含み、
前記トランジション制御部は、ｋ番目の水平周期の間、第１カラーサブピクセル、第２カラーサブピクセル、第３カラーサブピクセル、第４カラーサブピクセルの順に該当するソース信号を提供し、ｋ＋１番目の水平周期の間には、前記第４カラーサブピクセル、第１カラーサブピクセル、第２カラーサブピクセル、第３カラーサブピクセルの順に該当するソース信号を提供するように制御する、請求項１に記載の表示装置。
【請求項４】
前記第１カラーは赤色（Ｒ）、第２カラーは緑色（Ｇ）、第３カラーは青色（Ｂ）であり、前記トランジション制御部は、緑色（Ｇ）のカラーサブピクセルを制御するソースマルチプレクサのＯＮパルス幅が、前記Ｒ及びＢカラーサブピクセルを制御するソースマルチプレクサのＯＮパルス幅よりも大きくなるように制御する、請求項２に記載の表示装置。
【請求項５】
前記トランジション制御部は、トランジションされる２つのカラーのソースマルチプレクサのＯＮパルスを一部重複するように制御する、請求項２に記載の表示装置。
【請求項６】
トランジションされる２つのカラーのソース信号のＯＮ区間は、時間に対して互いに重畳されないように制御する、請求項５に記載の表示装置。
【請求項７】
第１カラーサブピクセル、第２カラーサブピクセル及び第３カラーサブピクセルと、前記第１カラーサブピクセル、第２カラーサブピクセル及び第３カラーサブピクセルのトランジションを制御するトランジション制御部と、を含む表示装置のサブピクセルトランジション方法であって、
ｋ番目（ｋは自然数）の水平周期を３つのサブ水平周期に時分割した後、１番目のサブ水平周期の間には第１カラーサブピクセルを駆動し、２番目のサブ水平周期の間には第２カラーサブピクセルを駆動し、３番目のサブ水平周期の間には第３カラーサブピクセルを駆動する第１ステップと；
ｋ＋１番目の水平周期を３つのサブ水平周期に時分割した後、１番目のサブ水平周期の間には第３カラーサブピクセルを駆動し、２番目のサブ水平周期の間には第１カラーサブピクセルを駆動し、３番目のサブ水平周期の間には第２カラーサブピクセルを駆動する第２ステップと；
を含む、サブピクセルトランジション方法。
【請求項８】
前記表示装置は、各データラインへのソース信号の提供をスイッチングするソースマルチプレクサをさらに含み、前記トランジション制御部は、前記第１ステップ及び第２ステップで前記ソースマルチプレクサを制御する、請求項７に記載のサブピクセルトランジション方法。
【請求項９】
前記第１カラーは赤色（Ｒ）、第２カラーは緑色（Ｇ）、第３カラーは青色（Ｂ）であり、前記第１ステップ及び第２ステップにおいて、トランジション制御部は、緑色（Ｇ）のカラーサブピクセルを制御するソースマルチプレクサのＯＮパルス幅が、前記赤色（Ｒ）及び青色（Ｂ）のカラーサブピクセルを制御するソースマルチプレクサのＯＮパルス幅よりも大きくなるように制御する、請求項８に記載のサブピクセルトランジション方法。
【請求項１０】
前記トランジション制御部は、前記トランジションされる２つのカラーのソースマルチプレクサのＯＮパルスを一部重複するように制御する、請求項８に記載のサブピクセルトランジション方法。
【請求項１１】
トランジションされる２つのカラーのソース信号のＯＮ区間は、時間に対して互いに重畳されないように制御する、請求項１０に記載のサブピクセルトランジション方法。
【請求項１２】
ゲートラインとデータラインとを含み、データライン及びゲートラインの交差領域と定義される第１カラーサブピクセル、第２カラーサブピクセル、第３カラーサブピクセルを含む表示パネル；
前記データラインにソース信号を印加するデータ駆動部；
前記各データラインへのソース信号の提供をスイッチングするソースマルチプレクサ；及び、
ｋ番目（ｋは自然数）の水平周期の１番目のサブ水平周期、ｋ＋１番目の水平周期の２番目のサブ水平周期、ｋ＋２番目の水平周期の３番目のサブ水平周期の間、前記第１カラーサブピクセル、第２カラーサブピクセル、第３カラーサブピクセルのうち１つのサブピクセルにソース信号の供給をスイッチするように該当するソースマルチプレクサにＯＮパルスを提供してサブピクセルトランジションが遂行されるように制御するトランジション制御部；
を含む、表示装置。
【請求項１３】
前記第１カラーサブピクセル、第２カラーサブピクセル、第３カラーサブピクセルは、赤色（Ｒ）、緑色（Ｇ）、青色（Ｂ）のサブピクセルを含む、請求項１２に記載の表示装置。
【請求項１４】
前記表示装置は、ホワイト（Ｗ）のサブピクセルをさらに含み、
前記トランジション制御部は、１つの特定カラーを基準に、ｋ番目の水平周期の１番目のサブ水平周期の間、ｋ＋１番目の水平周期の２番目のサブ水平周期の間、ｋ＋２番目の水平周期の３番目のサブ水平周期の間、ｋ＋３番目の水平周期の４番目のサブ水平周期の間、前記ホワイト（Ｗ）、赤色（Ｒ）、緑色（Ｇ）、青色（Ｂ）のサブピクセルのうち１つのサブピクセルがＯＮされ、残りのサブピクセルはＯＦＦされるように、前記ホワイト（Ｗ）、赤色（Ｒ）、緑色（Ｇ）、青色（Ｂ）のサブピクセルへのソース信号供給をスイッチングできるように前記ソースマルチプレクサを駆動する、請求項１３に記載の表示装置。
【発明の詳細な説明】
【技術分野】
【０００１】
本発明は、表示装置に関し、特に、サブピクセル間のトランジション（Ｔｒａｎｓｉｔｉｏｎ）による影響を最小化できる表示装置、及び、それを用いたサブピクセルトランジション方法に関する。
【背景技術】
【０００２】
情報化社会が発展するに伴って画像を表示するための表示装置への要求が様々な形態で増加しており、近来は、液晶表示装置（ＬＣＤ：Ｌｉｑｕｉｄ  Ｃｒｙｓｔａｌ  Ｄｉｓｐｌａｙ）、プラズマ表示装置（ＰＤＰ：Ｐｌａｓｍａ  Ｄｉｓｐｌａｙ  Ｐａｎｅｌ）、有機発光（ＯＬＥＤ：Ｏｒｇａｎｉｃ  Ｌｉｇｈｔ  Ｅｍｉｔｔｉｎｇ  Ｄｉｏｄｅ）表示装置のような様々な表示装置が活用されている。
【０００３】
このような表示装置の表示パネルは、ユーザにイメージを提供する表示領域（ａｃｔｉｖｅ  ａｒｅａ、ＡＡ）と前記表示領域（ＡＡ）の周辺領域である非表示領域（ｎｏｎ−ａｃｔｉｖｅ  ａｒｅａ、ＮＡ）とに定義され、表示パネルは、通常、薄膜トランジスタ等が形成されて画素領域が定義されるアレイ基板である第１基板と、ブラックマトリクスおよび／またはカラーフィルタ層等が形成された上部基板としての第２基板または保護基板としての第２基板とが合着されて製造される。
【０００４】
薄膜トランジスタが形成されるアレイ基板または第１基板はまた、第１方向に延びる多数のゲートライン（ＧＬ）と、第１方向と垂直な第２方向に延びる多数のデータライン（ＤＬ）とを含み、それぞれのゲートラインとデータラインによって１つのピクセル（Ｐｉｘｅｌ；Ｐ）またはサブピクセルＳＰが定義される。１つの画素領域（Ｐ）またはサブピクセル領域内には１以上の薄膜トランジスタが形成され、各薄膜トランジスタのゲートまたはソース電極は、それぞれゲートライン及びデータラインと連結され得る。
【０００５】
また、各ゲートラインとデータラインに、各画素の駆動に必要なゲート信号及びデータ信号を提供するために、非表示領域またはパネルの外部に備えられるゲート駆動部（駆動回路）またはデータ駆動回路等が含まれる。
【０００６】
一般に、ゲートラインとデータラインの交差領域に定義される多数のサブピクセルそれぞれは、赤色（Ｒ）、緑色（Ｇ）、青色（Ｂ）のうち１つのカラーを表示するように構成される。
【０００７】
一方、１つのゲートラインにゲート駆動信号を印加する周期は１水平周期（Ｈ）と呼ばれ、一般に、１水平周期（１Ｈ）の間、Ｒ、Ｇ、Ｂの３つのサブピクセルにデータ信号（ソース信号）を印加して該当するサブピクセルに映像を表示する。
【０００８】
このように、各カラーのサブピクセルの間で映像表示を転換することをサブピクセルトランジションまたはトランジションと表現できる。
【０００９】
一方、このようなサブピクセルトランジションのためには、データラインへのソース信号供給を動的にスイッチングしなければならないので、画質及び消費電力等で影響を及ぼすことがあり、従って、表示特性及び電力消費等を考慮してトランジション方式等を最適化する必要性がある。
【発明の概要】
【発明が解決しようとする課題】
【００１０】
このような背景から、本発明の一実施例の目的は、表示パネルのサブピクセルトランジション過程での表示不良を防止できる表示装置を提供することである。
【００１１】
本発明の一実施例の他の目的は、異なるカラーを表示するサブピクセル間のトランジションを均一に遂行することにより、サブピクセルトランジションによる表示不良を防止できる表示装置及びトランジション方法を提供することである。
【００１２】
本発明の一実施例の他の目的は、サブピクセル間のトランジションを最小化してサブピクセルトランジションによる表示不良を最小化する表示装置及びトランジション方法を提供することである。
【００１３】
本発明の一実施例の他の目的は、各カラー別のサブピクセルトランジションの回数を均一化してサブピクセルトランジションによる表示不良を減少させることができる表示装置及びトランジション方法を提供することである。
【課題を解決するための手段】
【００１４】
前述した目的を達成するために、本発明の一実施例は、第１カラーサブピクセル、第２カラーサブピクセル、第３カラーサブピクセルを含む表示装置のトランジションを制御するためのものであって、トランジション制御部がｋ番目（ｋは自然数）の水平周期の間、第１カラーサブピクセル、第２カラーサブピクセル、第３カラーサブピクセルの順に該当するソース信号を提供し、ｋ＋１番目の水平周期の間には、前記第３カラーサブピクセル、第１カラーサブピクセル、第２カラーサブピクセルの順に該当するソース信号を提供するように制御する構成を含む。
【００１５】
このようなトランジション制御のために、表示装置は、各データラインへのソース信号の提供をスイッチングするソースマルチプレクサをさらに含み、トランジション制御部は、ソースマルチプレクサを制御してもよい。
【００１６】
また、第４カラーまでさらに含む場合は、トランジション制御部は、ｋ番目の水平周期の間、第１カラーサブピクセル、第２カラーサブピクセル、第３カラーサブピクセル、第４カラーサブピクセルの順に駆動し、ｋ＋１番目の水平周期の間には、前記第４カラーサブピクセル、第１カラーサブピクセル、第２カラーサブピクセル、第３カラーサブピクセルの順に駆動してもよい。
【００１７】
また、トランジション制御部は、Ｇカラーサブピクセルを制御するソースマルチプレクサのＯＮパルス幅が、Ｒ及びＢカラーサブピクセルを制御するソースマルチプレクサのＯＮパルス幅よりも大きくなるように制御してもよい。
【００１８】
また、トランジション制御部は、トランジションされる２つのカラーのＯＮパルスを一部重複するように制御してもよく、このとき、トランジションされる２つのカラーのソース信号のＯＮ区間は、互いに重畳されないようにしてもよい。
【００１９】
本実施例によるトランジション制御方法は、ｋ番目の水平周期を３つのサブ水平周期に時分割した後、１番目のサブ水平周期の間には第１カラーサブピクセルを駆動し、２番目のサブ水平周期の間には第２カラーサブピクセルを駆動し、３番目のサブ水平周期の間には第３カラーサブピクセルを駆動する第１ステップと、ｋ＋１番目の水平周期を３つのサブ水平周期に時分割した後、１番目のサブ水平周期の間には第３カラーサブピクセルを駆動し、２番目のサブ水平周期の間には第１カラーサブピクセルを駆動し、３番目のサブ水平周期の間には第２カラーサブピクセルを駆動する第２ステップを繰り返して遂行するように構成される。
【００２０】
また、本発明の他の実施例は、第１カラーサブピクセル、第２カラーサブピクセル、第３カラーサブピクセルを含む表示装置のトランジションを制御するためのものであって、トランジション制御部が各サブピクセルへのソース信号の提供をスイッチングするソースマルチプレクサを制御し、Ｒ、Ｇ、Ｂのうち１つの特定カラーを基準に、ｋ番目の水平周期の１番目のサブ水平周期、ｋ＋１番目の水平周期の２番目のサブ水平周期、ｋ＋２番目の水平周期の３番目のサブ水平周期の間、前記特定カラーに該当するソースマルチプレクサにＯＮパルスを提供してサブピクセルトランジションが遂行されるようにする。
【００２１】
もちろん、Ｗまで含む４カラー構造では、トランジション制御部が、前記Ｗ、Ｒ、Ｇ、Ｂのうち１つの特定カラーを基準に、ｋ番目の水平周期の１番目のサブ水平周期の間、ｋ＋１番目の水平周期の２番目のサブ水平周期の間、ｋ＋２番目の水平周期の３番目のサブ水平周期の間、ｋ＋３番目の水平周期の４番目のサブ水平周期の間、該当するソースマルチプレクサがＯＮとなるように駆動し、残りのカラーのソースマルチプレクサはＯＦＦさせるように制御してもよい。
【発明の効果】
【００２２】
以下に説明するように、本発明の実施例によると、サブピクセル間のトランジションの回数を最小化してトランジションのための制御を単純化し、トランジションのための電力消耗を減少させることができるだけでなく、サブピクセルトランジションによる表示不良を最小化できる効果がある。
【００２３】
また、本実施例によると、カラー別のサブピクセルトランジションの回数を均一にすることで、サブピクセルトランジションによる表示不良を防止できる効果がある。
【００２４】
より具体的には、本実施例によると、ｋ番目の水平周期内でのサブピクセルトランジションの順序が第１カラー、第２カラー、第３カラーであるとき、ｋ＋１番目の水平周期内での間のサブピクセルトランジションの順序を第３カラー、第１カラー、第２カラーの順となるようにサブピクセルトランジションを遂行することにより、全体トランジションの回数を減少させ、各カラー別のサブピクセルトランジションの回数を均一にすることができる。
【００２５】
より具体的には、本実施例によると、第ｉカラー（ｉ＝１、２、３）を表示する第ｉサブピクセルにソース信号を印加することをスイッチングするためのソースマルチプレクサ（Ｓ−ＭＵＸ）を含む表示装置において、ｋ番目の水平周期内でのサブピクセルトランジションの順序が第１カラー、第２カラー、第３カラーであるとき、ｋ＋１番目の水平周期内での間のサブピクセルトランジションの順序を第３カラー、第１カラー、第２カラーの順となるようにＳ−ＭＵＸを制御することにより、各カラー別のサブピクセルトランジションの回数を均一化してサブピクセルトランジションによる表示不良を減少させることができる効果がある。
【図面の簡単な説明】
【００２６】
【図１】一般的な表示パネルの平面図であって、多数のサブピクセルが形成された構造を示す。
【図２】図１のような表示パネルでの一般的なサブピクセルトランジション方式を示す。
【図３】カラー別のトランジションの回数を減少させるためのレストランジション（Ｌｅｓｓ  Ｔｒａｎｓｉｔｉｏｎ）方式の一例を示す。
【図４】本実施例によるレストランジション方式を含む表示パネルの平面図を示す。
【図５】本実施例によるレストランジション方式によるカラー表示順序を示す。
【図６】本実施例によるレストランジションを具現するための信号タイミング図を示す。
【図７】他の実施例によるレストランジション方式によるカラー表示順序を示す。
【図８】他の実施例によるレストランジション方法を示すものであって、各カラー別のＯＮパルス幅を異に構成する実施例を示す。
【図９】他の実施例によるレストランジション方法を示すものであって、各カラー別のＯＮパルスが一部重複する構成を示す。
【図１０】図９の変形実施例によるレストランジション方法を示すものであって、各カラー別のＳ−ＭＵＸ  ＯＮパルスが一部重複し、トランジションされる各カラー別のソース信号のＯＮ区間を調節する構成を示す。
【発明を実施するための形態】
【００２７】
以下、本発明の一部の実施例を例示的な図面を参照して詳細に説明する。各図面の構成要素に参照符号を付加するにあたって、同一の構成要素に対しては、他の図面上に表示されても可能な限り同一の符号を有する。また、本発明を説明するにあたって、関連の公知構成または機能についての具体的な説明が本発明の要旨を濁す恐れがあると判断される場合は、その詳細な説明は省略する。
【００２８】
また、本発明の構成要素を説明するにあたって、第１、第２、Ａ、Ｂ、（ａ）、（ｂ）等の用語を用いる。このような用語は、その構成要素を他の構成要素と区別するためのものであるだけで、その用語により該当構成要素の本質、順番、順序または個数等が限定されることはない。ある構成要素が他の構成要素に「連結」、「結合」または「接続」されると記載された場合、その構成要素は、その他の構成要素に直接的に連結または接続され得るが、各構成要素の間に他の構成要素が「介在」されるか、各構成要素が他の構成要素を通して「連結」、「結合」または「接続」されてもよいと理解されるべきである。
【００２９】
図１は、一般的な表示パネルの平面図であって、多数のサブピクセルが形成された構造を示す。
【００３０】
図１のように、一般的な表示パネルは、多数のゲートラインＧＬとデータラインＤＬが形成され、各ゲートラインとデータラインの交差領域には、ピクセルまたはサブピクセルが定義される。
【００３１】
表示パネルがモノ構造である場合、１つの交差領域が１つのピクセルを構成するが、一般的にカラー表示パネルである場合、各交差領域は、Ｒ、Ｇ、Ｂ等のカラーのうち１つの映像データを表示するサブピクセルＳＰを構成することとなり、３つのカラーのサブピクセルを１つのピクセルと定義することができる。
【００３２】
各サブピクセル領域のアレイ基板には、１以上の薄膜トランジスタが形成され、ゲートラインに提供されるゲート駆動信号またはゲートクロック（Ｇａｔｅ  ＣＬＫ）及びデータラインに提供されるソース信号により薄膜トランジスタがスイッチングされて該当サブピクセルに電界を提供し、サブピクセルに配置された発光素子を駆動する。
【００３３】
一方、表示装置は、表示パネルの内部または外部に配置され、ゲートラインにゲート駆動信号を提供するゲート駆動部ＧＩＰと、ゲート駆動部を制御しながらデータラインにソース信号を供給するデータ駆動部Ｄ−ＩＣとを含むことができる。
【００３４】
このような表示装置の映像出力方式を説明すると、次のとおりである。
【００３５】
先ず、表示パネルに合計ｍ個のゲートラインとｎ個のデータラインが配置されたものと仮定する。
【００３６】
１つのゲートラインにゲート駆動信号を供給する周期を１水平周期（１Ｈ）と定義することができ、１水平周期の間、データ駆動部Ｄ−ＩＣは、ｎ個のデータラインに一括してソース信号を供給して映像を表示する。
【００３７】
即ち、１水平周期の間、該当ゲートラインに配置される合計ｎ個のサブピクセルに映像が出力される。
【００３８】
一方、３つ以上のカラーを表示する表示パネルの場合、１水平周期をまた３つのサブ水平周期に分割した後、各サブ水平周期の間、特定の１つのカラーの映像だけを表示するように制御することができる。
【００３９】
例えば、図１のように、データライン１、４、７等にはＲサブピクセルが形成され、データライン２、５、８等にはＧサブピクセルが配置され、３、６、９等のデータラインにはＢサブピクセルが形成されたものと仮定する場合、１番目の水平周期Ｈ１の間、１番目のゲートラインＧＬ１にゲート駆動信号を印加し、１番目のサブ水平周期（１ｓｔ  １／３Ｈ）の間にはデータライン１、４、７等にのみソース信号を印加してＲサブピクセルを駆動し、２番目のサブ水平周期（２ｎｄ  １／３Ｈ）の間には２、５、８等のデータラインにのみソース信号を印加してＧサブピクセルを駆動し、３番目のサブ水平周期（３ｒｄ  １／３Ｈ）の間には３、６、９のデータラインにのみソース信号を供給してＢサブピクセルを駆動することができる。
【００４０】
このように、各カラー別のサブピクセルを時分割で駆動する場合、各データラインへのソース信号印加をスイッチングするスイッチング部が加えられなければならず、このようなスイッチング部は、ＦＥＴ等のトランジスタで具現され得る。
【００４１】
このような映像出力方式によると、各データラインを担当するスイッチング部が各サブ水平周期に同期化されてＯＮ／ＯＦＦ制御されなければならず、第１カラーサブピクセル駆動から第２カラーサブピクセル駆動に転換されなければならない。
【００４２】
このようなカラー別の駆動転換をサブピクセルトランジション（Ｓｕｂ−Ｐｉｘｅｌ  Ｔｒａｎｓｉｔｉｏｎ）または単にトランジション（Ｔｒａｎｓｉｔｉｏｎ）と定義することができる。
【００４３】
図２は、図１のような表示パネルでの一般的なサブピクセルトランジションでの信号タイミング図を示す。
【００４４】
図２のように、第１データラインに、１水平周期の間、ゲート駆動信号ＧＣＬ＃１が供給された状態で、１水平周期のうち１番目のサブ水平周期（１ｓｔ  １／３Ｈ）の間、Ｒサブピクセル駆動をスイッチングするための制御パルスが印加され、次いで、２、３番目のサブ水平周期の間、Ｇ、Ｂサブピクセルを駆動するための制御パルスが印加される。
【００４５】
本明細書においては、Ｒサブピクセル駆動のための制御パルスのライジングトランジション（Ｒｉｓｉｎｇ  Ｔｒａｎｓｉｔｉｏｎ）及びフォーリングトランジション（Ｆａｌｌｉｎｇ  Ｔｒａｎｓｉｔｉｏｎ）をそれぞれＴＲＵ、ＴＲＦと表示し、Ｇ、Ｂに対しても同一の形式で表示する（ＴＧＵ、ＴＧＦ、ＴＢＵ、ＴＢＦ）。
【００４６】
図２のようなトランジション方式では、各カラー別に１回の水平周期の間、１回のライジングトランジションと１回のフォーリングトランジションの合計２回のトランジションがなされる。
【００４７】
このようなトランジションは、該当するスイッチング部を制御しなければならないので、同一の期間（例えば、１フレーム等）の間、全てのカラーでなされるトランジションの回数が多いほど、制御が複雑になるだけでなく、電力消耗も増える等の問題がある。
【００４８】
従って、カラー別の駆動方式でサブピクセルトランジションの回数を減少させるための方案を考慮する必要があり、各カラー別に１回の水平周期の間、２回のトランジションがなされる既存の方法に比べてトランジションの回数を減少させることができる方案を、便宜上、レストランジション（Ｌｅｓｓ  Ｔｒａｎｓｉｔｉｏｎ）と表現する。
【００４９】
図３は、カラー別のトランジションの回数を減少させるためのレストランジション（Ｌｅｓｓ  Ｔｒａｎｓｉｔｉｏｎ）方式の一例を示す。
【００５０】
このようなレストランジション方式には、ｋ番目の水平周期の最後のサブ水平周期に駆動されるカラーをｋ＋１番目の水平周期の１番目のサブ水平周期に駆動されるように配置することで、全体的なトランジションの回数を減少させようとするものである。
【００５１】
図３は、そのようなレストランジション方式の１つの例であって、１つのサブ水平周期に表示されるサブピクセルカラーをＲ、Ｇ、Ｂで順に表現したとき、ＲＧＢ→ＢＧＲ→ＲＧＢ等で繰り返す方式である。
【００５２】
即ち、ｋ番目の水平周期の間のカラー駆動順序は、その前（ｋ−１）の水平周期の間のカラー駆動順序の逆順に配置するものである。
【００５３】
図３ａは、このようなレストランジション方式の信号タイミング図であり、図３ｂは、表示される映像のカラーを順に表示したものである。
【００５４】
図３のようなレストランジション方式では、２回の水平周期を基準にするとき、Ｇのトランジションの回数は、図１及び図２と同様に合計４回（ライジングトランジション２回、フォーリングトランジション２回）と同一であるが、Ｒ、Ｂのトランジションの回数がそれぞれ合計２回（ライジングトランジション１回、フォーリングトランジション１回）と減少する。
【００５５】
結果として、２回の水平周期を基準にするとき、図１及び図２のような一般的なトランジション方式の場合は、３つのカラー全てで合計１２回のトランジションがなされるのに対し、図３のようなレストランジション方式では、３つのカラーで合計８回のトランジション（Ｇカラー４回、Ｒ、Ｂカラー各２回）だけが遂行されるので、３３％のトランジションの減少がなされる。
【００５６】
しかし、図３のようなレストランジション方式では、カラー別にトランジションの回数が変わり、それに伴ってカラー別の表示特性が変化する問題が発生し得る。
【００５７】
即ち、図３においては、Ｒ、Ｂの場合は、２回の水平周期の間、合計２回のトランジションが遂行されるのに対し、Ｇカラーは、２回の水平周期の間、合計４回のトランジションが遂行されるので、Ｒ、Ｂに比べて異なる映像出力特性を有し得るということである。
【００５８】
一般的に、各カラー（サブピクセル）を駆動するためのスイッチング部をＯＦＦする場合、即ち、フォーリングトランジション（Ｆａｌｌｉｎｇ  Ｔｒａｎｓｉｔｉｏｎ）が遂行されると、キックバック電圧（Ｋｉｃｋ  Ｂａｃｋ  Ｖｏｌｔａｇｅ）と呼ばれる駆動電圧変化が発生し、このようなキックバック電圧によって一時的にちらつくフリッカー（Ｆｌｉｃｋｅｒ）現象や残像が残る問題等が発生する。
【００５９】
特に、液晶表示装置等では、液晶に一方向の電界が長時間印加されて発生する液晶の劣化現象を防止するために、フレーム毎に駆動電圧の極性を反転させるインバージョン方式をとることができ、その例として、フレームインバージョン（Ｆｒａｍｅ  Ｉｎｖｅｒｓｉｏｎ）方式、ラインインバージョン（Ｌｉｎｅ  Ｉｎｖｅｒｓｉｏｎ）方式、カラムインバージョン（Ｃｏｌｕｍｎ  Ｉｎｖｅｒｓｉｏｎ）方式またはドットインバージョン（Ｄｏｔ  Ｉｎｖｅｒｓｉｏｎ）方式のような様々なインバージョン方式が適用されている。このうち、カラムインバージョン方式は、カラム（垂直ライン）毎に極性が変更される方式であって、カラムインバージョン方式では、Ｒ、Ｇ、Ｂデータの極性が反転する。
【００６０】
このようなインバージョン方式がとられる場合、スイッチング部が−９Ｖ（または−５．２Ｖ）と＋９Ｖ（または＋５．２Ｖ）との間でスイッチングされ、前述したフォーリングトランジションにより発生するキックバック電圧の偏差がますます大きくなり、上述した表示不良がさらに拡大され得る。
【００６１】
特に、一般的に１秒内のフレーム回数を示すフレーム周波数が６０〜１２０Ｈｚである場合は、そのような表示不良があまり表れないかもしれないが、最近、モバイルディスプレイ等では、消費電力減少のために、停止映像出力や文書出力等の動作時、約３０Ｈｚ以下までフレーム周波数を下げることができ、この場合、前述したカラー別のトランジションの回数差によるフリッカー現象または残像が大きな表示不良の原因となり得る。
【００６２】
従って、下記の実施例においては、カラー別のトランジションの回数を均一化できるレストランジション方式を提案する。
【００６３】
図４は、本実施例によるレストランジション方式を含む表示パネルの平面図を示し、図５は、本実施例によるレストランジション方式によるカラー表示順序を示す。
【００６４】
図４のように、本実施例による表示装置は、新たな方式のレストランジションを遂行するものであって、ゲートラインとデータラインとを含み、各データライン及びゲートラインの交差領域と定義されるカラー別のサブピクセルを含む表示パネルと、データラインにソース信号を印加するデータ駆動部（Ｄ−ＩＣ）４１０と、データ駆動部の制御によって本実施例によるレストランジションを遂行するトランジション制御部４２０とを含んで構成される。
【００６５】
トランジション制御部は、ｋ番目の水平周期の間、第１カラーサブピクセル、第２カラーサブピクセル、第３カラーサブピクセルの順に該当するソース信号を提供し、ｋ＋１番目の水平周期の間には、前記第３カラーサブピクセル、第１カラーサブピクセル、第２カラーサブピクセルの順に該当するソース信号を提供するように制御する。
【００６６】
例えば、第１カラーはＲ、第２カラーはＧ、第３カラーはＢと仮定するとき、１番目の水平周期の間には、Ｒ、Ｇ、Ｂのサブピクセルの順に駆動し、２番目の水平周期の間には、Ｂ、Ｒ、Ｇの順に駆動する。
【００６７】
即ち、図３のようなレストランジション方式では、以前の水平周期の駆動順序の逆順に駆動するのに対し、図４の実施例においては、以前の水平周期の最後のカラーを先に駆動し、その次には、以前の水平周期の最後のカラーを除く残りのカラーの順に駆動するものである。
【００６８】
このような実施例によると、図３のように、一般的なトランジション（図１及び図２参照）に比べて同程度（３３％）のトランジションの回数減少を確保しながらも、各カラー別に同回数のトランジションを遂行することにより、図３のようなカラー別のトランジションの回数差による表示不良を防止することができる。
【００６９】
このような本実施例の効果については、図６を参照して下記においてさらに詳細に説明する。
【００７０】
一方、図４の実施例においては、各データラインへのソース信号の提供をスイッチングするソースマルチプレクサ４４０をさらに含み、トランジション制御部は、このようなソースマルチプレクサを制御することにより前述したレストランジションを遂行する。
【００７１】
このようなソースマルチプレクサは、各データラインと連結される多数のスイッチング素子であるＳ−ＭＵＸで構成されており、Ｓ−ＭＵＸには、該当Ｓ−ＭＵＸのＯＮ／ＯＦＦを制御できるＳ−ＭＵＸ制御信号が印加され得、このようなＳ−ＭＵＸ制御信号の印加は、データ駆動部Ｄ−ＩＣまたはトランジション制御部４２０によって制御されてもよい。
【００７２】
図４に示されたように、データ駆動部（Ｄ−ＩＣ）１２０とそれぞれのデータラインとの間には、スイッチング素子であるＳ−ＭＵＸが配置され、このようなＳ−ＭＵＸは、薄膜トランジスタ（ＴＦＴ）で形成されてもよい。
【００７３】
さらに具体的に、１つの画素（ＰＩＸＥＬ）は、３つのサブピクセルであるＲサブピクセル、Ｇサブピクセル、Ｂサブピクセルで構成してもよく、それぞれのサブピクセルは、該当するデータラインＤＬ１〜ＤＬ３及び第１ゲートラインＧＬ１と連結される。
【００７４】
映像を出力するために、１回の水平周期（Ｈ）の間、第１ゲートラインに第１スキャン信号が印加されると同時に、順次に第１データラインＤＬ１に第１ソース信号が、第２データラインＤＬ２に第２ソース信号が、第３データラインＤＬ３に第３ソース信号が印加される。
【００７５】
図１及び図２のような一般的なトランジション方式では、１回の水平周期を３つのサブ水平区間に区分して、第１サブ水平区間の間には、第３ｎ＋１データライン（ｎ＝０、１、２…）に同時に該当するソース信号が印加されることで表示パネルの全てのＲサブピクセルに映像を出力し、第２サブ水平区間の間には、第３ｎ＋２データライン（ｎ＝０、１、２…）に同時に該当するソース信号が印加されることで表示パネルの全てのＧサブピクセルに映像を出力し、第３サブ水平区間の間には、第３ｎ＋３データライン（ｎ＝０、１、２…）に同時に該当するソース信号が印加されることで表示パネルの全てのＢサブピクセルに映像を出力する。
【００７６】
しかし、本実施例によるレストランジションが適用される場合、トランジション制御部４２０によって１つのカラーを基準に、ｋ番目の水平周期の１番目のサブ水平周期の間、映像を出力したら、ｋ＋１番目の水平周期の２番目のサブ水平周期の間、ｋ＋２番目の水平周期の３番目のサブ水平周期の間、映像が出力されるように駆動される。
【００７７】
即ち、図５に示したように、ｋ番目の水平周期の間、ＲＧＢの順に映像を表示するように駆動されたら、ｋ＋１番目の水平周期の間にはＢＲＧの順に、ｋ＋２番目の水平周期の間にはＧＢＲの順に映像を表示する。
【００７８】
結果として、ＲＧＢ→ＢＲＧ→ＧＢＲの順に駆動される。
【００７９】
このために、それぞれのサブ水平区間の間、該当するデータラインにのみソース信号を印加するために、各Ｓ−ＭＵＸのＯＮ／ＯＦＦを制御する必要があり、トランジション制御部４２０は、前記トランジション規則に合うようにＳ−ＭＵＸ１〜３のうち１つを選択的にＯＮさせる動作を遂行する。このようなＳ−ＭＵＸ構造を利用することにより、本実施例によるトランジション制御を効率よく動作させることができるようになる。
【００８０】
即ち、トランジション駆動部は、Ｒカラーを基準に、ｋ番目の水平周期の１番目のサブ水平周期、ｋ＋１番目の水平周期の２番目のサブ水平周期、ｋ＋２番目の水平周期の３番目のサブ水平周期の間、Ｓ−ＭＵＸ１（Ｒ）にＯＮパルスを提供してＳ−ＭＵＸ１をつけ、その間、残りのＳ−ＭＵＸ２（Ｇ）、Ｓ−ＭＵＸ３（Ｂ）はＯＦＦさせるように制御する。もちろん、前記順序で駆動されるカラーは必ずしもＲである必要はなく、ＧまたはＢカラーであってもよい。
【００８１】
また、図７のように、Ｗ、Ｒ、Ｇ、Ｂの４つのカラーのサブピクセルを含む場合は、特定カラー（Ｗ、Ｒ、Ｇ、ＢのうちＲを基準にする）を基準に、ｋ番目の水平周期の１番目のサブ水平周期にＯＮされたら、ｋ＋１番目の水平周期の間には２番目のサブ水平周期で、ｋ＋２番目の水平周期の間には３番目のサブ水平周期で、ｋ＋３番目の水平周期の間には４番目のサブ水平周期の間、該当するＳ−ＭＵＸ１がＯＮされるように駆動し、残りのＳ−ＭＵＸ２（Ｇ）、Ｓ−ＭＵＸ３（Ｂ）、Ｓ−ＭＵＸ４（Ｗ）はＯＦＦさせるように制御する。
【００８２】
このために、各Ｓ−ＭＵＸには、制御ラインを通してＳ−ＭＵＸ制御信号（Ｓ−ＭＵＸｉ制御信号；ｉ＝１、２、３）またはトランジション制御信号が印加され、このようなトランジション制御信号は、データ駆動部４１０または別途のタイミングコントローラ（Ｔｉｍｉｎｇ  Ｃｏｎｔｒｏｌｌｅｒ；Ｔ−ｃｏｎ）により生成されて印加され得る。
【００８３】
一方、ソースマルチプレクサ（Ｓ−ＭＵＸ）４４０は、各データラインとデータ駆動部との間に配置され、データ駆動部からのソース信号を該当するデータラインに印加されるものをスイッチングする全ての種類の素子または回路部を含む概念である。
【００８４】
図４においては、トランジション制御部４２０がデータ駆動部４１０と別に示されたが、データ駆動部の内部に含まれるように具現されてもよい。
【００８５】
また、本実施例による表示装置に含まれる表示パネルは、特定の方式にのみ限定されるものではなく、３つ以上のカラーを表示するためのサブピクセルを含み、カラー別のトランジションが必要である以上、液晶表示装置、有機発光表示装置（ＯＬＥＤ）、プラズマ表示装置、電気泳動表示装置等、全ての形態の表示パネルが用いられ得る。
【００８６】
図６は、本実施例によるレストランジションを具現するための信号タイミング図を示す。
【００８７】
図６のように、本実施例によるトランジション制御部４２０は、ｋ番目の水平周期の間、ｋ番目のゲートラインにゲート駆動クロックＧＣＬ  ＃ｋを印加した状態で、１番目のサブ水平周期（１ｓｔ  １／３Ｈ）の間にはＳ−ＭＵＸ１にＯＮパルスを印加して合計３／ｎ個のＲサブピクセルにソース信号を供給する。
【００８８】
次の２番目のサブ水平周期（２ｎｄ  １／３Ｈ）の間にはＳ−ＭＵＸ２（Ｇ）にＯＮパルスを印加してＧサブピクセルにソース信号を供給し、３番目のサブ水平周期（３ｒｄ  １／３Ｈ）の間にはＳ−ＭＵＸ３（Ｂ）にＯＮパルスを印加してＢサブピクセルにソース信号を供給する。
【００８９】
引き続くｋ＋１番目の水平周期の間にはｋ＋１番目のゲートラインにゲート駆動クロックＧＣＬ  ＃ｋ＋１を印加した状態で、１番目のサブ水平周期（１ｓｔ  １／３Ｈ）の間にはＳ−ＭＵＸ３（Ｂ）にＯＮパルスを印加して合計３／ｎ個のＢサブピクセルにソース信号を供給する。結果として、ｋ番目の水平周期の３番目のサブ水平周期（３ｒｄ  １／３Ｈ）でｋ＋１番目の水平周期のうち１番目のサブ水平周期（１ｓｔ  １／３Ｈ）の間にはトランジションなしにＢサブピクセルが連続駆動される。
【００９０】
引き続くｋ＋１番目の水平周期の２番目のサブ水平周期（２ｎｄ  １／３Ｈ）の間には、図３のレストランジションとは異なり、以前の水平周期の１番目のサブ水平周期で駆動されたＲサブピクセルにソース信号を印加するように、Ｓ−ＭＵＸ１（Ｒ）にＯＮパルスを提供する。
【００９１】
また、引き続くｋ＋１番目の水平周期の３番目のサブ水平周期（３ｒｄ  １／３Ｈ）の間には、図３のレストランジションとは異なり、以前の水平周期の２番目のサブ水平周期で駆動されたＧサブピクセルにソース信号を印加するように、Ｓ−ＭＵＸ２（Ｇ）にＯＮパルスを提供する。
【００９２】
次のｋ＋２番目の水平周期の間にはｋ＋２番目のゲートラインにゲート駆動クロックＧＣＬ  ＃ｋ＋２を印加した状態で、１番目のサブ水平周期（１ｓｔ  １／３Ｈ）の間にはＳ−ＭＵＸ２（Ｇ）にＯＮパルスを印加して合計３／ｎ個のＧサブピクセルにソース信号を供給する。結果として、ｋ＋１番目の水平周期の３番目のサブ水平周期（３ｒｄ  １／３Ｈ）でｋ＋２番目の水平周期のうち１番目のサブ水平周期（１ｓｔ  １／３Ｈ）の間にはトランジションなしにＧサブピクセルが連続駆動される。
【００９３】
引き続くｋ＋２番目の水平周期の２番目のサブ水平周期（２ｎｄ  １／３Ｈ）の間には、図３のレストランジションとは異なり、以前のｋ＋１水平周期の１番目のサブ水平周期で駆動されたＢサブピクセルにソース信号を印加するように、Ｓ−ＭＵＸ３（Ｂ）にＯＮパルスを提供する。
【００９４】
また、引き続くｋ＋２番目の水平周期の３番目のサブ水平周期（３ｒｄ  １／３Ｈ）の間には、図３のレストランジションとは異なり、ｋ＋１水平周期の２番目のサブ水平周期で駆動されたＲサブピクセルにソース信号を印加するように、Ｓ−ＭＵＸ１（Ｒ）にＯＮパルスを提供する。
【００９５】
結果として、ｋ番目からｋ＋２番目までの３水平周期の間を基準にするとき、ＲＧＢ  ＢＲＧ  ＧＢＲの順に駆動され、引き続くｋ＋３番目の水平周期からは、先の順序が繰り返される。
【００９６】
表現を異にすると、ｋ番目の水平周期開始時点でトランジションなしに連続駆動されるカラーは、次のｋ＋３番目の水平周期開始でもトランジションなしに連続駆動される方式で駆動される。
【００９７】
以上のようなトランジション方式を利用すると、図６に示したように、３水平周期を基準に、各カラー毎に合計４回のトランジション、即ち、２回のライジングトランジションと２回のフォーリングトランジションがなされる。
【００９８】
即ち、３つのカラーそれぞれが合計４回のトランジションで同一のトランジションがなされ、全体カラーでは合計１２回のトランジションがなされる。
【００９９】
従って、図１及び図２のような一般的なトランジション方式では、合計３回の水平周期の間、各カラーが合計６回のトランジション（３回のライジングトランジション及び３回のフォーリングトランジション）がなされ、全体カラーでは合計１８回のトランジションがなされることと比較すると、３３％のトランジション減少がなされる。
【０１００】
即ち、本実施例によるレストランジション方式を利用すると、図３と同程度（３３％）のトランジション減少を達成しながらも、図３のレストランジションとは異なり、各カラー毎に同一のトランジションの回数を遂行することとなる。
【０１０１】
従って、図３のレストランジション方式で発生した問題点である、カラー別のトランジションの回数の差による表示不良を防止することができるようになる。
【０１０２】
特に、本実施例によると、図６に示したように、カラー毎に全体トランジションの回数も同一であるだけでなく、表示不良を発生させるフォーリングトランジションの回数まで同一になるので、カラー別のトランジションの回数差による表示不良が根本的に発生しない効果がある。
【０１０３】
要約すると、本実施例によると、図３と同程度（３３％）のトランジション減少を達成しながらも、カラー別のトランジションの回数の均一化により、表示不良を防止できる効果を達成できるようになる。
【０１０４】
図７は、他の実施例によるレストランジション方式によるカラー表示順序を示す。
【０１０５】
図４乃至図６において説明した実施例は、サブピクセルがＲ、Ｇ、Ｂの３つのカラーで構成された場合であるが、本発明の概念は、これに限定されるものではなく、４つ以上のカラーのサブピクセルが含まれる表示装置にも類似するように適用され得る。
【０１０６】
ＲＧＢ方式の有機発光表示装置（ＯＬＥＤ）等では、白色を表現するために、Ｒ、Ｇ、Ｂの３カラーのサブピクセルが全てつけられなければならないため、表示パネルの耐久性が良好でなく、効率がよくないので大型表示パネル等に適していない。
【０１０７】
このような問題点を解決するために、Ｒ、Ｇ、Ｂのサブピクセル以外にホワイト（Ｗ）のサブピクセルをさらに含む、いわゆるＷＲＧＢ方式の有機発光表示パネルが用いられることもある。
【０１０８】
図７は、このように、Ｗ、Ｒ、Ｇ、Ｂの４つのカラーのサブピクセルを含む場合に対する実施例を示す。
【０１０９】
第１カラーサブピクセル乃至第４カラーサブピクセルが含まれる場合、本実施例によるトランジション制御部は、ｋ番目の水平周期の間、第１カラー、第２カラー、第３カラー、第４カラーの順にソース信号を供給したら、ｋ＋１番目の水平周期の間には、第４カラー、第１カラー、第２カラー、第３カラーの順にサブピクセルを駆動する。
【０１１０】
図７は、４つのカラーのサブピクセルを含み、サブピクセルの配置順序がＲ、Ｇ、Ｂ、Ｗである表示パネルに本実施例によるレストランジション方法が適用される場合を説明する。
【０１１１】
この場合、ｋ番目の水平周期を４つのサブ水平周期（１／４Ｈ）に分けた後、各サブ水平周期の間、Ｒ、Ｇ、Ｂ、Ｗの順に駆動し、ｋ＋１番目の水平周期の間にはＷ、Ｒ、Ｇ、Ｂの順に、ｋ＋２番目の水平周期の間にはＢ、Ｗ、Ｒ、Ｇの順に、ｋ＋３番目の水平周期の間にはＧ、Ｂ、Ｗ、Ｒの順に駆動される。
【０１１２】
以後、ｋ＋４番目の水平周期からは、ｋ番目乃至ｋ＋３番目の水平周期の間の駆動順序が再び繰り返される。
【０１１３】
従って、４つの水平周期を基準にすると、各カラー別に合計５回のトランジションが同一に遂行される。
【０１１４】
このように、本実施例は、３以上のカラーのサブピクセルを含む場合にも適用することができ、やはりトランジションの回数を減少させながらも、各カラー別のトランジションの回数を均一化することにより、カラー別の表示特性差による表示不良を防止することができる。
【０１１５】
図８は、また他の実施例によるレストランジション方法を示すものであって、各カラー別のＯＮパルス幅を異なるように構成する実施例を示す。
【０１１６】
図７までの実施例においては、各カラー別のＯＮパルス幅を同一にする場合に該当する。即ち、図７までの実施例においては、１回の水平周期をカラーの個数だけに同一に分割したサブ水平周期に制御した。
【０１１７】
しかし、前述したインバージョン機能によってＲ、Ｇ、Ｂピクセルに出力されるデータ電圧が反転する場合、緑色（Ｇ）データ電圧のホールディングタイミングが他の色相に比べて短くなる問題が発生し得る。
【０１１８】
即ち、カラムインバージョン方式で駆動される表示装置でトランジションがなされる場合、隣接しているＲサブピクセル、Ｇサブピクセル及びＢサブピクセルに出力されるデータ電圧の極性（Ｐｏｌａｒｉｔｙ）が変わるので、Ｒサブピクセルへのデータ電圧とＢサブピクセルへのデータ電圧の極性は同一であるが、Ｇサブピクセルへのデータ電圧は、Ｒ、Ｂデータ電圧の極性と反対になる極性を有することとなる。
【０１１９】
従って、グラウンドに変更される期間（ＧＲ）及び極性変換のために要求される期間（Ｐ）を考慮すると、該当するＳ−ＭＵＸを駆動するためのＯＮパルス区間の間、実際にデータ電圧が出力される期間は、Ｇカラーの場合がＲ、Ｂより短くなり得る。
【０１２０】
即ち、互いに異なる極性の変化の間にあるＧの場合、ライジング／フォーリング（Ｒｉｓｉｎｇ／Ｆａｌｌｉｎｇ）トランジションによる遅延（Ｄｅｌａｙ）のため、実際の入力（Ｉｎｐｕｔ）に対比して短い時間のデータ電圧ホールディング時間（Ｓｏｕｒｃｅ  Ｈｏｌｄｉｎｇ  Ｔｉｍｅ）を有することとなる。
【０１２１】
特に、Ｇカラーは、Ｒ、Ｂカラーに比べて輝度に及ぼす影響が大きいので、上述のようにＧカラーのホールディング時間が相対的に短いことによる輝度性能が低下する問題が発生し得る。
【０１２２】
そこで、本実施例においては、図６のようなレストランジション方式を利用し、Ｇサブピクセルを制御するＳ−ＭＵＸのＯＮパルス幅が、Ｒ、Ｂサブピクセル制御用のＯＮパルス幅よりも大きくなるように制御することができる。
【０１２３】
即ち、図８に示したように、各カラー別のサブピクセルのトランジション順序は図６の実施例と同一にし、１回の水平周期内での各カラー別のサブ水平周期を構成するにあたって、Ｇサブピクセル駆動のためのＳ−ＭＵＸ２制御信号のＯＮパルス幅ＰＷＧを、Ｒ、Ｂサブピクセル制御用のＳ−ＭＵＸ１（Ｒ）、Ｓ−ＭＵＸ３（Ｂ）のＯＮパルス幅ＰＷＲ、ＰＷＢよりも大きくする。
【０１２４】
このために、本実施例によるトランジション制御部は、ｋ番目の水平周期を３つのサブ水平周期に分割し、Ｇサブピクセルの駆動順序に該当する２番目のサブ水平周期の幅を、１、３番目のサブ水平周期の幅よりも大きくなるように制御する。
【０１２５】
同様に、ｋ＋１番目のゲートラインを駆動する水平周期の間には、Ｇサブピクセルの駆動順序に該当する３番目のサブ水平周期が、１、２番目のサブ水平周期よりも大きくなるように分割する。
【０１２６】
このように、図８の実施例によるトランジション制御部は、トランジション順序を制御することとは別に、各水平周期でＧサブピクセルが駆動される順序に該当するサブ水平周期が、Ｒ、Ｂサブピクセルのためのサブ水平周期よりも大きくなるように制御する動作を共に遂行する。
【０１２７】
図８のような実施例を利用すると、Ｇサブピクセルのデータ電圧ホールディング時間をＲ、Ｂの場合と同等に調節することにより、インバージョン方式の表示装置で輝度性能を維持できる効果を有する。
【０１２８】
図９は、また他の実施例によるレストランジション方法を示すものであって、各カラー別のＯＮパルスが一部重複する構成を示す。
【０１２９】
近年、表示装置の大面積化と解像度増加への要求に伴い、同一の時間にさらに多くのサブピクセルが駆動されなければならない必要が生じている。
【０１３０】
従って、１つのサブピクセル別では、映像表示のための充電時間が不足するようになり、結果として画質が低下する問題が発生し得る。
【０１３１】
特に、図６のように、各サブピクセルへのソース信号供給をスイッチングするソースマルチプレクサが利用される場合、トランジション時に発生するスイッチング素子の遅延（Ｄｅｌａｙ）等により、このような充電時間の不足がさらに敏感な問題となり得る。
【０１３２】
従って、図９の実施例においては、トランジションの制御のためにＳ−ＭＵＸを駆動するＯＮパルスが一部重畳されるようにすることで、このような画質低下の問題を一部改善しようとする。
【０１３３】
図９の実施例においては、トランジション制御部がトランジションされる２つのカラーのＯＮパルスを一部重複するように制御することとする。
【０１３４】
例えば、ｋ番目の水平周期の１番目のトランジションであるＲ−Ｇトランジション過程で、Ｓ−ＭＵＸ１（Ｒ）のフォーリングトランジションＴＲＦが発生する前にＳ−ＭＵＸ２（Ｇ）のライジングトランジションＴＧＵが発生するように制御するものである。
【０１３５】
結果として、第１カラーから第２カラーへのトランジションにおいて、第１カラーのフォーリングトランジションのタイミングと第２カラーのライジングトランジションのタイミングとの間に重複区間９１０が発生する。
【０１３６】
このように構成すると、映像出力の駆動周波数が大きくなる場合にも各サブピクセル別に十分な充電時間を確保することで、輝度低下を防止できるようになる。
【０１３７】
また、図９の実施例と図８の実施例を結合し、Ｇカラーへのトランジションがなされる場合に限ってＯＮパルスを一部重畳させる構成をとることもできる。
【０１３８】
即ち、インバージョン機能が用いられる場合、データ電圧の反転によるホールディング時間の減少によって輝度に最も影響を及ぼすカラーがＧカラーであるので、トランジションがＧカラーと関連のある場合にのみＯＮパルス幅が一部重複するように制御できるということである。
【０１３９】
例えば、図９においてＢ、Ｃと表示した領域のように、サブ水平周期は同一に分割し、Ｒ、ＢカラーのためのＯＮパルスは、分割されたサブ水平周期区間と同期化し、ＧカラーのライジングトランジションＴＧＵの開始タイミングがＲカラーのフォーリングトランジションＴＲＦよりも先に生じるようにし、ＧカラーのフォーリングトランジションＴＧＦがＢカラーのライジングトランジションＴＢＵよりも先に生じるように制御することができる。
【０１４０】
このように構成することで、サブ水平周期を非対称に分割する追加制御なしにも、インバージョン方式でのＧカラーの輝度減少の問題を減少させることができる効果がある。
【０１４１】
図１０は、図９の変形実施例によるレストランジション方法を示すものであって、各カラー別のＳ−ＭＵＸ  ＯＮパルスが一部重複し、カラーの混色を防止するために各カラー別のソース信号のＯＮ区間を調節する構成を示す。
【０１４２】
即ち、図９のように、充電時間の確保のためにＳ−ＭＵＸのＯＮ区間を一部重複するように構成する場合、カラー間の混色問題が発生し得る。
【０１４３】
これを克服するために、図１０のように、Ｓ−ＭＵＸのＯＮ区間はカラー別に一部重複するようにして充電時間を確保し、サブ水平区間の間の各カラー別のソース信号のＯＮ区間を互いに重畳されないようにすることで混色現象を防止することができる。
【０１４４】
図１０においては、Ｇカラーの輝度低下と混色を同時に防止するために、Ｇカラーへのトランジションが発生する区間では、Ｓ−ＭＵＸのＯＮ区間が一部重畳されるようにし、Ｒ、Ｂカラーのソース信号のＯＮ区間（図１０の点線で表示）は、Ｇカラーのソース信号のＯＮ区間と重畳されないようにしている。
【０１４５】
即ち、図１０の拡大領域Ａ及びＢにおいて表示したように、Ｒ→Ｇトランジションの場合、ＲカラーのＳ−ＭＵＸのフォーリングトランジションが発生する一定時間以前にＲソース信号（点線）がＯＦＦとなるようにして、Ｇ信号との混色を防止することができる。一方、図示してはいないが、本明細書は、下記のような構成のトランジション制御方法まで含むものと理解されるべきである。
【０１４６】
本実施例によるトランジション制御方法は、第１カラーサブピクセル、第２カラーサブピクセル及び第３カラーサブピクセルと、カラー別のトランジションを制御するトランジション制御部とを含む表示装置で遂行されるものであって、ｋ番目の水平周期を３つのサブ水平周期に時分割した後、１番目のサブ水平周期の間には第１カラーサブピクセルを駆動し、２番目のサブ水平周期の間には第２カラーサブピクセルを駆動し、３番目のサブ水平周期の間には第３カラーサブピクセルを駆動する第１ステップと、引き続くｋ＋１番目の水平周期を３つのサブ水平周期に時分割した後、１番目のサブ水平周期の間には第３カラーサブピクセルを駆動し、２番目のサブ水平周期の間には第１カラーサブピクセルを駆動し、３番目のサブ水平周期の間には第２カラーサブピクセルを駆動する第２ステップとが繰り返して遂行される構成を有する。
【０１４７】
以上のように、本実施例による表示装置を利用すると、一般的なトランジション方式に比べてトランジションの回数を減少させることができるだけでなく、カラー別のサブピクセルトランジションの回数を均一にすることで、サブピクセルトランジションによる表示不良を防止できる効果を有する。
【０１４８】
さらに具体的には、本実施例によると、ｋ番目の水平周期内でのサブピクセルトランジションの順序が第１カラー、第２カラー、第３カラーであるとき、ｋ＋１番目の水平周期内での間のサブピクセルトランジションの順序を第３カラー、第１カラー、第２カラーの順となるようにサブピクセルトランジションを遂行することで、全体トランジションの回数を減少させ、各カラー別のサブピクセルトランジションの回数を均一にして映像出力特性を優れるように維持できる効果がある。
【０１４９】
また、Ｇサブピクセルを制御するＳ−ＭＵＸのＯＮパルス幅が、Ｒ、Ｂサブピクセル制御用のＯＮパルス幅よりも大きくなるように制御することで、インバージョン方式の表示装置でＧカラーのホールディング時間が相対的に短いことによる輝度低下現象を抑制する効果を有する。
【０１５０】
以上における説明及び添付の図面は、本発明の技術思想を例示的に示したことに過ぎないものであって、本発明の属する技術の分野における通常の知識を有する者であれば、本発明の本質的な特性から外れない範囲で構成の結合、分離、置換及び変更等の様々な修正及び変形が可能であるだろう。従って、本発明に開示された実施例は、本発明の技術思想を限定するためのものではなく、説明するためのものであり、このような実施例によって本発明の技術思想の範囲が限定されるのではない。本発明の保護範囲は、下記の請求の範囲によって解釈されるべきであり、それと同等の範囲内にある全ての技術思想は、本発明の権利範囲に含まれるものと解釈されるべきである。
【符号の説明】
【０１５１】
４１０：データ駆動部（Ｄ−ＩＣ）      ４２０：トランジション制御部
４３０：ゲート駆動部      ４４０：ソースマルチプレクサ（Ｓ−ＭＵＸ）
【図１】
2018055100.tif 000003
【図２】
2018055100.tif 000004
【図３ａ】
2018055100.tif 000005
【図３ｂ】
2018055100.tif 000006
【図４】
2018055100.tif 000007
【図５】
2018055100.tif 000008
【図６】
2018055100.tif 000009
【図７】
2018055100.tif 000010
【図８】
2018055100.tif 000011
【図９】
2018055100.tif 000012
【図１０】
2018055100.tif 000013